(57)【特許請求の範囲】
【請求項１】
第１電極基板と第２電極基板とをシール材を介して圧着してなり、そのセルギャップ内における上記シール材の周辺部分の非表示領域内の上記第１電極基板側に表示電極の引き回し配線が形成され、上記非表示領域内の上記第２電極基板側には上記引き回し配線と対向するダミー電極が形成されているとともに、上記引き回し配線と上記ダミー電極とが上記シール材に含まれているトランスファ材にて導通されており、上記電極基板の各々に、基板端面から上記シール材塗布領域内に引き込まれ、上記引き回し配線の端部および上記ダミー電極の端部との間で、それぞれアレスター電極を形成する外部電極が設けられている液晶表示パネルにおいて、
上記各電極基板のアレスター電極がともに、帯状パターンの一方の辺側に互いに対向する突き合わせ頂点を持ち、他方の辺に向けて漸次間隔が広くなるハ字状電極からなり、上記第１電極基板側のアレスター電極と上記第２電極基板側のアレスター電極とが逆向きに配置されていることを特徴とする液晶表示パネル。
【請求項２】
上記第１電極基板の上記外部電極側アレスター電極の斜辺と上記第２透明電極の上記ダミー電極側アレスター電極の斜辺とが平行で、かつ、上記第２電極基板の上記外部電極側アレスター電極の斜辺と上記第１透明電極の上記引き回し配線側アレスター電極の斜辺とが平行である請求項１に記載の液晶表示パネル。
【発明の詳細な説明】
【０００１】
【発明の属する技術分野】
本発明は、液晶表示パネルに関し、さらに詳しく言えば、静電気に起因する表示ムラを可及的に低減し得る静電気放電手段（アレスター電極）を備えた液晶表示パネルに関するものである。
【０００２】
【従来の技術】
図３に示すように、液晶表示パネルは、表示電極１１が形成された第１電極基板１０と、上記表示電極１１と対向する表示電極２１を有する第２電極基板２０とを例えばエポキシ系のシール材３０を介して圧着してなる。
【０００３】
その場合、表示電極１１と表示電極２１とが実質的に対向している部分が実際の表示に寄与する表示領域Ａであり、シール材３０の周辺部分は対向する表示電極が存在しない非表示領域Ｂであって、例えば表示電極の引き回し配線などが形成される。
【０００４】
設計の都合上、非表示領域Ｂには引き回し配線が存在する部分と存在しない部分とができる場合がある。そうすると、表示領域Ａと非表示領域Ｂのギャップが異なり、これが原因で表示領域Ａと非表示領域Ｂとで背景色に差が出てしまうことがある。
【０００５】
そこで、非表示領域Ｂにおいて、例えば第１電極基板１０には引き回し配線１２があるが、第２電極基板２０にはその引き回し配線１２と対向するものがない場合には、図３に例示するように、第２電極基板２０に第１電極基板１０側の引き回し配線１２と対向するダミー電極２２を形成し、表示領域Ａと非表示領域Ｂの双方のギャップの均一化を図るようにしている。
【０００６】
この場合、引き回し配線１２とダミー電極２２とを同電位として非表示領域Ｂ内で液晶が駆動されないようにする必要がある。そのため、シール材３０内にトランスファ材としての導電性粒子を含ませて、引き回し配線１２とダミー電極２２とを導通させるようにしている。
【０００７】
ところで、液晶表示パネルの製造に際しては、種々の工程で静電気が発生しパネルを帯電させるが、偏光膜の貼り付け時の帯電量がもっとも多いと言われており、その帯電量によっては表示領域Ａ内の表示電極間で放電が発生し、その部分の配向制御膜を破壊したり、表示電極の断線を引き起こすことがある。
【０００８】
これを防止するため、この従来例においては、シール材３０の塗布領域内にアレスター電極を設けて静電気を放電させるようにしている。その構成を図４の斜視図に示す。
【０００９】
アレスター電極は第１電極基板１０と第２電極基板２０の双方に設けられる。すなわち、第１電極基板１０と第２電極基板２０ともに、その基板端面１０ａ，２０ａ側から外部電極１３，２３がシール材３０の塗布領域内にまで引き込まれる。
【００１０】
外部電極１３は、第１電極基板１０側に形成されている引き回し配線１２の端部との間でアレスター電極Ｐ１０を形成する。同様に、外部電極２３は、第２電極基板２０側に形成されているダミー電極２２との間でアレスター電極Ｐ２０を形成する。
【００１１】
図５（ａ）の平面図を併せて参照して、アレスター電極Ｐ１０は外部電極１３の端部１３ａと引き回し配線１２の端部１２ａとを、また、アレスター電極Ｐ２０は外部電極２３の端部２３ａとダミー電極２２の端部２２ａとをそれぞれ山形の尖鋭突起状として対向的に突き合わせてなる。
【００１２】
各アレスター電極Ｐ１０，Ｐ２０の電極間ギャップは、引き回し配線１２およびダミー電極２２の線間幅よりも狭いことがアレスターとしての必須条件であり、例えば５〜１０μｍに設定される。これにより、例えば、偏光膜の貼り付け時に静電気が大きく帯電された場合、アレスター電極Ｐ１０，Ｐ２０のいずれかが有効に働いて、シール材３０の塗布領域内で静電気が放電される。
【００１３】
【発明が解決しようとする課題】
引き回し配線１２とそのダミー電極２２は、シール材３０内の導電性粒子を介して導通がとられるため、各アレスター電極Ｐ１０，Ｐ２０は、図５（ａ）の平面図に示すように、いずれか一方が、いずれか他方の投影面積内に配置されることになる。すなわち、上下に重ねられた関係となる。
【００１４】
したがって、第１電極基板１０と第２電極基板２０とを圧着する際、それらの間にアレスター電極間ギャップ方向に相対的な位置ずれが生ずると、図５（ｂ）の平面図に示すように、例えば第２電極基板２０側の外部電極２３と第１電極基板１０側の引き回し配線１２とがシール材３０内の導電性粒子を介して電気的に接続されてしまうことになる。
【００１５】
これは、第１電極基板１０側の引き回し配線１２が、第２電極基板２０側の外面に露出することを意味し、その後の製品使用時などにおいて、第２電極基板２０の外部電極２３が他の電気的導体に接触した場合には、表示外乱を起こす原因となる。
【００１６】
これを防止するには、別の見方をすれば、第１電極基板１０と第２電極基板２０とを貼り合わせる際の位置決め精度に、アレスター電極Ｐ１０，Ｐ２０の電極間ギャップである５〜１０μｍよりも高精度が要求されることになる。
【００１７】
したがって、本発明の課題は、２枚の電極基板間の相対的な位置決めに高精度を要求されることなく、アレスター電極を有効に動作させる技術を提供することにある。
【００１８】
【課題を解決するための手段】
上記課題を解決するため、本発明は、第１電極基板と第２電極基板とをシール材を介して圧着してなり、そのセルギャップ内における上記シール材の周辺部分の非表示領域内の上記第１電極基板側に表示電極の引き回し配線が形成され、上記非表示領域内の上記第２電極基板側には上記引き回し配線と対向するダミー電極が形成されているとともに、上記引き回し配線と上記ダミー電極とが上記シール材に含まれているトランスファ材にて導通されており、上記電極基板の各々に、基板端面から上記シール材塗布領域内に引き込まれ、上記引き回し配線の端部および上記ダミー電極の端部との間で、それぞれアレスター電極を形成する外部電極が設けられている液晶表示パネルにおいて、上記各電極基板のアレスター電極がともに、帯状パターンの一方の辺側に互いに対向する突き合わせ頂点を持ち、他方の辺に向けて漸次間隔が広くなるハ字状電極からなり、上記第１電極基板側のアレスター電極と上記第２電極基板側のアレスター電極とが逆向きに配置されていることを特徴としている。
【００１９】
本発明の好ましい態様によれば、上記第１電極基板の上記外部電極側アレスター電極の斜辺と上記第２透明電極の上記ダミー電極側アレスター電極の斜辺とが平行で、かつ、上記第２電極基板の上記外部電極側アレスター電極の斜辺と上記第１透明電極の上記引き回し配線側アレスター電極の斜辺とが平行とされる。
【００２０】
【発明の実施の形態】
次に、図１および図２を参照して、本発明の実施形態について説明する。図１は本発明が備えるアレスター電極を示す模式的斜視図である。図２はその平面図で、同図（ａ）は電極基板間にずれがない場合を示し、同図（ｂ）はずれがある場合を示している。なお、この実施形態に係る液晶表示パネルの基本的な構成は、先に説明した図３を参照されたい。
【００２１】
本発明においても、第１電極基板１０と第２電極基板２０の基板端面１０ａ，２０ａから外部電極１３，２３がシール材３０の塗布領域内に引き込まれ、外部電極１３は引き回し配線１２と対向してアレスター電極Ｐ１０ａを形成し、外部電極２３はダミー電極２２と対向してアレスター電極Ｐ２０ａを形成する。
【００２２】
外部電極１３，２３，引き回し配線１２およびダミー電極２２はともに、ＩＴＯにより帯状パターンとして形成されるが、本発明において、アレスター電極を形成するそれらの各端部は、上記従来例のような尖鋭な山形状ではなく、斜めにカットされる。
【００２３】
まず、第１電極基板１０側のアレスター電極Ｐ１０ａについて説明すると、そのギャップポイント（突き合わせ頂点）１２ｇ，１３ｇが帯状パターンの一方の辺側に設けられ、引き回し配線１２の端部１２ａと外部電極１３の端部１３ａには、上記ギャップポイント１２ｇ，１３ｇから帯状パターンの他方の辺に向けて漸次間隔が広くなる斜辺１２ｂ，１３ｂがそれぞれ形成されている。
【００２４】
第２電極基板２０側のアレスター電極Ｐ２０ａも同様に、そのギャップポイント２２ｇ，２３ｇが帯状パターンの一方の辺側に設けられ、ダミー電極２２の端部２２ａと外部電極２３の端部２３ａには、上記ギャップポイント２２ｇ，２３ｇから帯状パターンの他方の辺に向けて漸次間隔が広くなる斜辺２２ｂ，２３ｂがそれぞれ形成されている。
【００２５】
なお、ギャップポイント１２ｇ，１３ｇ；２２ｇ，２３ｇの間隔は、上記従来例と同じく５〜１０μｍ程度に設定され、また、斜辺１２ｂ，１３ｂ；２２ｂ，２３ｂの各開き角は任意に選択されてよいが、その開き角は同一であることが好ましい。
【００２６】
このように、各アレスター電極Ｐ１０ａ，Ｐ２０ａはともに、ハ字状に形成されるが、図２（ａ）の平面図に示すように、アレスター電極Ｐ１０ａとアレスター電極Ｐ２０ａは、逆向きの配置とされる。
【００２７】
すなわち、図２（ａ）において、アレスター電極Ｐ１０ａのギャップポイント１２ｇ，１３ｇが右側に配置されるとすると、アレスター電極Ｐ２０ａのギャップポイント２２ｇ，２３ｇは反対の左側に配置される。
【００２８】
なお、第１電極基板１０の外部電極側アレスター電極の斜辺１３ｂと第２透明電極２０のダミー電極側アレスター電極の斜辺２２ｂとが平行で、かつ、第２電極基板２０の外部電極側アレスター電極の斜辺２３ｂと第１透明電極１０の引き回し配線側アレスター電極の斜辺１２ｂとが平行であることが好ましい。
【００２９】
斜辺１２ｂ，１３ｂ；２２ｂ，２３ｂの各開き角が同一とすることにより、上記のように斜辺１３ｂと斜辺２２ｂとが平行で、かつ、斜辺２３ｂと斜辺１２ｂとが平行となり、本発明においては、アレスター電極間ギャップ方向に沿った斜辺１３ｂと斜辺２２ｂ間（斜辺２３ｂと斜辺１２ｂ間）の距離Ｌが、ずれ許容範囲となる。
【００３０】
すなわち、図２（ｂ）に示すように、第１電極基板１０と第２電極基板２０とを圧着する際、それらの間にアレスター電極間ギャップ方向に相対的な位置ずれが生じたとしても、その位置ずれ量が許容範囲Ｌ未満であれば、第１電極基板１０側の引き回し配線１２が第２電極基板２０側の外部電極２３と、もしくは第２電極基板２０側のダミー電極２２と第１電極基板１０側の外部電極１３とがシール材３０内の導電性粒子を介して接続されることがない。
【００３１】
位置ずれ量の許容範囲Ｌは、斜辺１２ｂ，１３ｂ；２２ｂ，２３ｂの開き角によって決まり、その角度によっては、アレスター電極間ギャップの数倍とすることができ、これにより各電極基板を圧着する際の位置合わせに高精度を要求されることなく、アレスター電極を有効に動作させることができる。
【００３２】
【発明の効果】
以上説明したように、本発明によれば、シール材の周辺部分の非表示領域に形成されている一方の電極基板側の引き回し配線と、これと対向して他方の電極基板側に形成したダミー電極とをシール材内の導電性粒子を介して接続するとともに、電極基板の各々に、基板端面からシール材塗布領域内に引き込まれ、上記引き回し配線の端部および上記ダミー電極の端部との間で、それぞれアレスター電極を形成する外部電極を設けてなる液晶表示パネルにおいて、各電極基板のアレスター電極をともに、帯状パターンの一方の辺側に互いに対向する突き合わせ頂点を持ち、他方の辺に向けて漸次間隔が広くなるハ字状電極として、一方の電極基板側のアレスター電極と他方の電極基板側のアレスター電極とを逆向きに配置したことにより、２枚の電極基板間の相対的な位置決めに高精度を要求されることなく、アレスター電極を有効に動作可能な状態とすることができる。
【図面の簡単な説明】
【図１】本発明が備えるアレスター電極を示す模式的斜視図。
【図２】上記アレスター電極のずれがない場合と、ずれがある場合の双方の状態を示す平面図。
【図３】液晶表示パネルの従来例を示した模式的縦断面図。
【図４】上記従来例が備えているアレスター電極を示す模式的斜視図。
【図５】上記従来例おけるアレスター電極のずれがない場合と、ずれがある場合の双方の状態を示す平面図。
【符号の説明】
１０  第１電極基板
１１  表示電極
１２  引き回し配線
２０  第２電極基板
２１  表示電極
２２  ダミー電極
３０  シール材
１０ａ，２０ａ  基板端面
１３，２３  外部電極
１２ｂ，１３ｂ，２２ｂ，２３ｂ  斜辺
１２ｇ，１３ｇ，２２ｇ，２３ｇ  ギャップポイント
Ｐ１０ａ，Ｐ２０ａ  アレスター電極
【図１】
0003921386.tif 000002
【図２】
0003921386.tif 000003
【図３】
0003921386.tif 000004
【図４】
0003921386.tif 000005
【図５】
0003921386.tif 000006